(57)【要約】【課題】従来、ボイラ火炉の強制冷却時において、火炉内に通風して冷却目標温度に達するまで強制通風冷却していたが、冷却目標温度を炉外側の温度によって定めていたため、炉内温度を測定することが出来ず、通風冷却を適時に停止することが出来ない課題があった。【解決手段】冷却目標温度が定められているボイラ火炉の強制冷却時における通風冷却系統において、ボイラ火炉の炉内側の火炉上部温度計１１が冷却目標温度より低い炉内目標温度に達したときに、通風冷却を停止するようにしたボイラ火炉の強制冷却時における通風冷却系統の停止方法とそのシステム。【選択図】図１
2008107017.tif 000002
【特許請求の範囲】
【請求項１】
ボイラ火炉内に通風してボイラ火炉を強制冷却し強制冷却を停止する冷却目標温度が定められているボイラ火炉の強制冷却時における通風冷却系統において、ボイラ火炉の炉内側の火炉上部温度が冷却目標温度より低い所定の炉内目標温度に達したときに、通風冷却を停止するようにしたボイラ火炉の強制冷却時における通風冷却系統の停止方法。
【請求項２】
請求項１に記載のボイラ火炉の強制冷却時における通風冷却系統の停止方法において、炉内側の火炉上部温度が火炉上部パスメタル温度であるボイラ火炉の強制冷却時における通風冷却系統の停止方法。
【請求項３】
請求項１又は２に記載のボイラ火炉の強制冷却時における通風冷却系統の停止方法において、炉内目標温度を、炉外温度との平均値がほぼ冷却目標温度になるように設定したボイラ火炉の強制冷却時における通風冷却系統の停止方法。
【請求項４】
請求項３に記載のボイラ火炉の強制冷却時における通風冷却系統の停止方法において、炉内目標温度が２８℃〜３６℃、冷却目標温度が５５℃〜７５℃であるボイラ火炉の強制冷却時における通風冷却系統の停止方法。
【請求項５】
請求項１乃至４のいずれかに記載のボイラ火炉の強制冷却時における通風冷却系統の停止方法において、強制給水冷却系統の給水系統停止後に通風冷却系統で通風冷却することからなるボイラ火炉の強制冷却時における通風冷却系統の停止方法。
【請求項６】
請求項５に記載のボイラ火炉の強制冷却時における通風冷却系統の停止方法において、炉外温度がほぼ１１０℃に達した時点で強制給水冷却を停止することからなるボイラ火炉の強制冷却時における通風冷却系統の停止方法。
【請求項７】
請求項５又は６に記載のボイラ火炉の強制冷却時における通風冷却系統の停止方法において、炉外温度が火炉ノーズ出口温度で測定した温度であるボイラ火炉の強制冷却時における通風冷却系統の停止方法。
【請求項８】
ボイラ火炉内に通風してボイラ火炉を強制冷却して強制冷却を停止する冷却目標温度が定められているボイラ火炉の強制冷却時における通風冷却系統において、通風冷却系統を停止すべき炉内目標温度を、炉外温度との平均値がほぼ冷却目標温度になるように設定したボイラ火炉の強制冷却時における通風冷却系統の停止システム。
【請求項９】
請求項８に記載のボイラ火炉の強制冷却時における通風冷却系統の停止システムにおいて、炉内目標温度を火炉内上部の設置した温度計で測定することからなるボイラ火炉の強制冷却時における通風冷却系統の停止システム。
【請求項１０】
請求項９に記載のボイラ火炉の強制冷却時における通風冷却系統の停止システムにおいて、炉内目標温度を火炉上部パスメタルで測定した温度であるボイラ火炉の強制冷却時における通風冷却系統の停止システム。
【請求項１１】
請求項８、９又は１０に記載のボイラ火炉の強制冷却時における通風冷却系統の停止システムにおいて、炉内目標温度が２８℃〜３６℃、冷却目標温度が５５℃〜７５℃であるボイラ火炉の強制冷却時における通風冷却系統の停止システム。
【請求項１２】
請求項８乃至１１のいずれかに記載のボイラ火炉の強制冷却時における通風冷却系統の停止システムにおいて、強制給水冷却系統の給水系統停止後に通風冷却系統で通風冷却することからなるボイラ火炉の強制冷却時における通風冷却系統の停止システム。
【請求項１３】
請求項１２に記載のボイラ火炉の強制冷却時における通風冷却系統の停止システムにおいて、炉外温度がほぼ１１０℃に達した時点で給水冷却を停止することからなるボイラ火炉の強制冷却時における通風冷却系統の停止システム。
【請求項１４】
請求項１２又は１３に記載のボイラ火炉の強制冷却時における通風冷却系統の停止システムにおいて、炉外温度が火炉ノーズ出口に設置した温度計で測定した温度であるボイラ火炉の強制冷却時における通風冷却系統の停止システム。
【発明の詳細な説明】
【技術分野】
【０００１】
本発明は、ボイラ火炉内に通風してボイラ火炉を強制冷却し、強制冷却を停止する冷却目標温度が定められているボイラ火炉の強制冷却時における通風冷却系統の停止方法とそのシステムに関する。
【背景技術】
【０００２】
従来、ボイラ火炉の強制冷却時において、炉壁に設けた給水管による強制給水冷却系統の給水系統停止後にボイラブローを実施し、火炉内に通風して強制通風冷却し、冷却目標温度に達したところで通風冷却系統を停止していたが、冷却目標温度を給水冷却系統と同じ給水管の炉外側の温度によって定めていた。
【発明の開示】
【発明が解決しようとする課題】
【０００３】
ボイラ火炉内側の通風による冷却温度と、強制給水冷却系統の炉壁の給水管に設けた炉外側の温度とは、正確に一致しないのみならず、炉壁に保温手段が施してあることから、炉外温度がなかなか下がらないため、ボイラーブロー後に通風冷却系統のみで冷却を行っている場合は、炉内温度を測定することが出来ず、通風冷却系を適時に停止することが出来ない課題があった。
【課題を解決するための手段】
【０００４】
そこで本発明は、請求項１に記載のように、ボイラ火炉内に通風してボイラ火炉を強制冷却し強制冷却を停止する冷却目標温度が定められているボイラ火炉の強制冷却時における通風冷却系統において、ボイラ火炉の炉内側の火炉上部温度が冷却目標温度より低い所定の炉内目標温度に達したときに、通風冷却を停止するようにしたボイラ火炉の強制冷却時における通風冷却系統の停止方法を提供するものである。
【０００５】
また、本発明は、請求項２に記載のように、請求項１に記載のボイラ火炉の強制冷却時における通風冷却系統の停止方法において、炉内側の火炉上部温度が火炉上部パスメタル温度であるボイラ火炉の強制冷却時における通風冷却系統の停止方法を提供するものである。
【０００６】
また、本発明は、請求項３に記載のように、請求項１又は２に記載のボイラ火炉の強制冷却時における通風冷却系統の停止方法において、炉内目標温度を、炉外温度との平均値がほぼ冷却目標温度になるように設定してあるボイラ火炉の強制冷却時における通風冷却系統の停止方法を提供するものである。
【０００７】
また、本発明は、請求項４に記載のように、請求項３に記載のボイラ火炉の強制冷却時における通風冷却系統の停止方法において、炉内目標温度が２８℃〜３６℃、冷却目標温度が５５℃〜７５℃であるボイラ火炉の強制冷却時における通風冷却系統の停止方法を提供するものである。
【０００８】
また、本発明は、請求項５に記載のように、請求項１乃至４のいずれかに記載のボイラ火炉の強制冷却時における通風冷却系統の停止方法において、強制給水冷却系統の給水系統停止後に強制通風冷却系統で通風冷却することからなるボイラ火炉の強制冷却時における通風冷却系統の停止方法を提供するものである。
【０００９】
また、本発明は、請求項６に記載のように、請求項５に記載のボイラ火炉の強制冷却時における通風冷却系統の停止方法において、炉外温度がほぼ１１０℃に達した時点で給水冷却を停止することからなるボイラ火炉の強制冷却時における通風冷却系統の停止方法を提供するものである。
【００１０】
また、本発明は、請求項７に記載のように、請求項５又は６に記載のボイラ火炉の強制冷却時における通風冷却系統の停止方法において、炉外温度が火炉ノーズ出口温度で測定した温度であるボイラ火炉の強制冷却時における通風冷却系統の停止方法を提供するものである。
【００１１】
また、本発明は、請求項８に記載のように、ボイラ火炉内に通風してボイラ火炉を強制冷却して強制冷却を停止する冷却目標温度が定められているボイラ火炉の強制冷却時における通風冷却系統において、通風冷却系統を停止すべき炉内目標温度を、炉外温度との平均値がほぼ冷却目標温度になるように設定してあるボイラ火炉の強制冷却時における通風冷却系統の停止システムを提供するものである。
【００１２】
また、本発明は、請求項９に記載のように、請求項８に記載のボイラ火炉の強制冷却時における通風冷却系統の停止システムにおいて、炉内目標温度を火炉内上部の設置した温度計で測定することからなるボイラ火炉の強制冷却時における通風冷却系統の停止システムを提供するものである。
【００１３】
また、本発明は、請求項１０に記載のように、請求項９に記載のボイラ火炉の強制冷却時における通風冷却系統の停止システムにおいて、炉内目標温度が炉内側の火炉上部パスメタルで測定した温度であるボイラ火炉の強制冷却時における通風冷却系統の停止システムを提供するものである。
【００１４】
また、本発明は、請求項１１に記載のように、請求項８、９又は１０に記載のボイラ火炉の強制冷却時における通風冷却系統の停止システムにおいて、炉内目標温度が２８℃〜３６℃、冷却目標温度が５５℃〜７５℃であるボイラ火炉の強制冷却時における通風冷却系統の停止システムを提供するものである。
【００１５】
また、本発明は、請求項１２に記載のように、請求項８乃至１１のいずれかに記載のボイラ火炉の強制冷却時における通風冷却系統の停止システムにおいて、強制給水冷却系統の給水系統停止後に通風冷却系統で通風冷却することからなるボイラ火炉の強制冷却時における通風冷却系統の停止システムを提供するものである。
【００１６】
また、本発明は、請求項１３に記載のように、請求項１２に記載のボイラ火炉の強制冷却時における通風冷却系統の停止システムにおいて、炉外温度がほぼ１１０℃に達した時点で強制給水冷却を停止することからなるボイラ火炉の強制冷却時における通風冷却系統の停止システムを提供するものである。
【００１７】
また、本発明は、請求項１４に記載のように、請求項１２又は１３に記載のボイラ火炉の強制冷却時における通風冷却系統の停止システムにおいて、炉外温度が火炉ノーズ出口に設置した温度計で測定した温度であるボイラ火炉の強制冷却時における通風冷却系統の停止システムを提供するものである。
【発明の効果】
【００１８】
本発明に係るボイラ火炉の強制冷却時における通風冷却系統の停止方法によれば、請求項１に記載のように、ボイラ火炉内に通風してボイラ火炉を強制冷却し強制冷却を停止する冷却目標温度が定められているボイラ火炉の強制冷却時における通風冷却系統において、ボイラ火炉の炉内側の火炉上部温度が冷却目標温度より低い所定の炉内目標温度に達したときに、通風冷却を停止するようにした構成を有することにより、ボイラ火炉内側の通風による火炉上部の冷却温度が冷却目標温度より低い温度の炉内目標温度に達した段階で通風冷却系を停止することができるから、通風冷却時間を大幅に短縮することができる効果がある。
【００１９】
また、本発明は、請求項２に記載のように、請求項１に記載のボイラ火炉の強制冷却時における通風冷却系統の停止方法において、炉内側の火炉上部温度が火炉内側上部パスメタル温度である構成を有することにより、炉内側の火炉上部温度をボイラ火炉に設置されている火炉内側上部のパスメタル温度で測定することができる効果がある。
【００２０】
また、本発明は、請求項３に記載のように、請求項１又は２に記載のボイラ火炉の強制冷却時における通風冷却系統の停止方法において、炉内目標温度を、炉外温度との平均値がほぼ冷却目標温度になるように設定してある構成を有することにより、炉外温度が冷却目標温度より大幅に高くても、炉内目標温度で通風を停止した場合に、炉内温度が冷却目標温度以上にならない効果がある。
【００２１】
また、本発明は、請求項４に記載のように、請求項３に記載のボイラ火炉の強制冷却時における通風冷却系統の停止方法において、炉内目標温度が２８℃〜３６℃、冷却目標温度が５５℃〜７５℃である構成を有することにより、通風冷却を停止した後、直ちに火炉の保守点検等の作業を行うことができる効果がある。
【００２２】
また、本発明は、請求項５に記載のように、請求項１乃至４のいずれかに記載のボイラ火炉の強制冷却時における通風冷却系統の停止方法において、強制給水冷却系統の給水系統停止後に通風冷却系統で通風冷却することからなる構成を有することにより、ボイラ火炉を強制給水冷却により所定の温度まで強制冷却してから通風冷却系統で通風冷却することができる効果がある。
【００２３】
また、本発明は、請求項６に記載のように、請求項５に記載のボイラ火炉の強制冷却時における通風冷却系統の停止方法において、炉外温度がほぼ１１０℃に達した時点で給水冷却を停止することからなる構成を有することにより、ボイラブローを実施してから通風冷却系統で冷却することができる効果がある。
【００２４】
また、本発明は、請求項７に記載のように、請求項５又は６に記載のボイラ火炉の強制冷却時における通風冷却系統の停止方法において、炉外温度が火炉ノーズ出口温度で測定した温度である構成を有することにより、強制給水冷却系統の温度計をそのまま使用することができる効果がある。
【００２５】
また、本発明に係るボイラ火炉の強制冷却時における通風冷却系統の停止システムによれば、請求項８に記載のように、ボイラ火炉内に通風してボイラ火炉を強制冷却して強制冷却を停止する冷却目標温度が定められているボイラ火炉の強制冷却時における通風冷却系統において、通風冷却系統を停止すべき炉内目標温度を、炉外温度との平均値がほぼ冷却目標温度になるように設定した構成を有することにより、炉外温度が冷却目標温度より大幅に高くても、炉内目標温度で通風を停止した場合に、炉内温度が冷却目標温度以上にならない効果がある。
【００２６】
また、本発明は、請求項９に記載のように、請求項８に記載のボイラ火炉の強制冷却時における通風冷却系統の停止システムにおいて、炉内目標温度を火炉内上部に設置した温度計で測定することからなる構成を有することにより、ボイラ火炉の強制冷却時における通風冷却温度を直接に正確に測定することができる効果がある。
【００２７】
また、本発明は、請求項１０に記載のように、請求項９に記載のボイラ火炉の強制冷却時における通風冷却系統の停止システムにおいて、炉内目標温度を火炉上部パスメタルで測定した温度である構成を有することにより、炉内側の火炉上部温度を火炉上部に設置されている火炉内側上部のパスメタル温度で測定することができる効果がある。
【００２８】
また、本発明は、請求項１１に記載のように、請求項８、９又は１０に記載のボイラ火炉の強制冷却時における通風冷却系統の停止システムにおいて、炉内目標温度が２８℃〜３６℃、冷却目標温度が５５℃〜７５℃である構成を有することにより、通風冷却を停止した後、直ちに火炉の保守点検等の作業を行うことができる効果がある。
【００２９】
また、本発明は、請求項１２に記載のように、請求項８乃至１１のいずれかに記載のボイラ火炉の強制冷却時における通風冷却系統の停止システムにおいて、強制給水冷却系統の給水系統停止後に通風冷却系統で通風冷却することからなる構成を有することにより、強制給水冷却により所定の温度まで冷却してから通風冷却系統で効率的に通風冷却することができる効果がある。
【００３０】
また、本発明は、請求項１３に記載のように、請求項１２に記載のボイラ火炉の強制冷却時における通風冷却系統の停止システムにおいて、炉外温度がほぼ１１０℃に達した時点で給水冷却を停止することからなる構成を有することにより、ボイラブローを実施し、その後に通風冷却系統で強制冷却することができる効果がある。
【００３１】
また、本発明は、請求項１４に記載のように、請求項１２又は１３に記載のボイラ火炉の強制冷却時における通風冷却系統の停止システムにおいて、炉外温度が火炉ノーズ出口に設置した温度計で測定した温度である構成を有することにより、強制給水冷却系統の温度計をそのまま使用することができる効果がある。
【発明を実施するための最良の形態】
【００３２】
以下図示する実施例により本発明を詳細に説明する。
【実施例１】
【００３３】
本発明に係るボイラ火炉の強制冷却時における通風冷却系統の停止方法及びそのシステムの一実施例によれば、ボイラ火炉内に通風してボイラ火炉を強制冷却する通風冷却手段は、ボイラを、炉壁に設けた給水管による給水強制冷却により強制冷却し、ボイラ火炉ノーズ出口流体温度が１００℃以上、好ましくはほぼ１１０℃になった時点で給水系統を停止し、ボイラブローを実施した後に、行うように構成してある。
【００３４】
ボイラ火炉内に通風してボイラ火炉を冷却目標温度まで強制冷却して通風冷却系統を停止し、直ちにボイラ火炉の保守点検等の作業を行うことから、正確且つ早期に通風系統を停止することが重要である。
従来、冷却目標温度は、経験的に先の炉外側のボイラ火炉ノーズ出口流体温度において６０℃と定められていた。
【００３５】
即ち、この冷却目標温度は、従来、図３に記載のように、ボイラ火炉ノーズ出口の炉壁に設けた強制給水冷却系統の給水管１の炉外側に設けた温度計２によって測定された温度を採用していた。そのため、ボイラ火炉内側の通風による冷却温度と、強制給水冷却系統の炉壁の給水管１に設けた炉外側の温度とは、正確に一致しないのみならず、炉壁に保温手段が施してあることから、炉外温度がなかなか下がらないため、ボイラブロー後に通風冷却系統のみで冷却を行っている場合は、炉内温度を測定することが出来ず、通風冷却系を適時に停止することが容易にできなかった。
なお、図３において、３は炉壁の中心線を示し、給水管１は炉壁の内側と外側の両側に露出して設けてある。
【００３６】
そこで、本発明は、炉内温度として最適なボイラ火炉の炉内側の火炉上部温度を採用することとし、火炉上部パスメタル温度が炉内目標温度に達した時点で、通風冷却系を停止するものである。
図１に記載の実施例において、１０が火炉上部の冷却用の給水管である火炉上部パスメタルで、その炉内側に温度計１１が設置してあり、給水を停止した状態では、通風により強制冷却された炉内側の温度を測定することができる。
なお、図１において、１２は炉壁の中心線を示し、給水管１０は炉壁の内側と外側の両側に露出して設けてある。
【００３７】
図２は、ボイラ火炉の強制冷却時の火炉上部パスメタル温度と火炉ノーズ出口温度とを測定した結果を示すグラフである。
火炉上部パスメタル温度は、火炉上部パス後壁管の６個所に設けた６個の温度計の温度を記載してあり、その平均値を白抜き菱形で示すように殆ど同一温度を示してる。これに対し、火炉ノーズ出口温度は、１個の温度計で測定し、黒い菱形で示してある。
【００３８】
ボイラ火炉の強制冷却は、５月１５日の２２時１７分に給水強制冷却により開始し、当初ほぼ３２０℃〜３３０℃あったボイラ温度が翌日の５月１６日の６時頃までに急激にほぼ１００℃〜１１０℃まで強制冷却され、ボイラ火炉ノーズ出口温度が１１０℃になったところで、給水系統を停止し、ボイラブローを実施し、その後、引き続いて、ボイラ火炉内の通風による強制冷却を開始した。
【００３９】
通風強制冷却時には、炉内側の火炉上部パスメタル温度は、給水冷却温度１１０℃から順調に下がり続け、５月１６日２１時には５０℃を切るまでに冷却効果が上がるが、その時刻に炉外側のボイラ火炉ノーズ出口温度は１１０℃から１５０℃に一端上昇してピーク温度になり、その後、翌日の５月１７日１８時頃にほぼ１００℃、その翌日の５月１８日２２時にやっと６０℃まで冷却する。
これに対して、炉内側の火炉上部パスメタル温度は、５月１７日の９時にはほぼ３３℃まで冷却し、その後は、ゆっくりと２７℃近辺まで冷却する。
【００４０】
ここで、実際の記録から、５月１７日９時１６分に炉内側の火炉上部パスメタル温度が３３℃になったところで、炉外側の火炉ノーズ出口温度は１１７℃であるが、その平均の温度は７５℃になり、強制通風系統の冷却目標温度の５５℃〜７５℃の範囲に入り、実際にボイラ火炉において、炉内側の火炉上部パスメタル温度が３３℃になったところで、通風強制冷却の通風系統を停止しても炉内温度は上昇せず、その後の炉内修理作業を行っても、何ら問題が生じなかった。
【００４１】
この場合、５月１７日９時１６分に炉内側の火炉上部パスメタル温度が３３℃になったところで、通風強制冷却の通風系統を停止することができるとすると、従来の炉外側の火炉ノーズ出口温度が６０℃になる５月１８日２２時００分に対して、３６時間４４分も前に通風強制冷却の通風系統の停止ができることとなる。
なお、実際にボイラ火炉において、炉内側の火炉上部パスメタル温度が３６℃になったところで、通風強制冷却の通風系統を停止しても炉内温度は上昇せず、その後の炉内修理作業を行っても、何ら問題が生じなかったことから、高温による作業効率への影響を考慮しても更に強制冷却時間の短縮は可能である。
【００４２】
また、これに対して、上記グラフにおいて、炉内側の火炉上部パスメタル温度は、５月１７日の１８時にはほぼ３０℃まで冷却し、このとき炉外側の火炉ノーズ出口温度はほぼ９８℃であり、その平均の温度は６４℃になり、給水系統及び通風系統の冷却目標温度の５６℃〜６６℃の範囲に入り、５月１７日１８時００分に炉内側の火炉上部パスメタル温度が３０℃になったところで、通風強制冷却の通風系統を停止すると、従来の炉外側の火炉ノーズ出口温度が６０℃になる５月１８日２２時００分に対して、２８時間も前に通風強制冷却の通風系統の停止ができることとなる。
【００４３】
また、上記グラフにおいて、炉内側の火炉上部パスメタル温度は、５月１８日の３時にはほぼ２８℃まで冷却し、このとき炉外側の火炉ノーズ出口温度はほぼ８２℃であり、その平均の温度は５５℃になり、給水系統及び通風系統の冷却目標温度の５５℃〜７５℃の範囲に入り、５月１８日３時００分に炉内側の火炉上部パスメタル温度が２８℃になったところで、通風強制冷却の通風系統を停止すると、従来の炉外側の火炉ノーズ出口温度が６０℃になる５月１８日２２時００分に対して、１９時間も前に通風強制冷却の通風系統の停止ができることとなる。
【図面の簡単な説明】
【００４４】
【図１】本発明の一実施例の概略説明図。
【図２】本発明の一実施例を示すグラフ。
【図３】従来の一実施例の概略説明図。
【符号の説明】
【００４５】
１      給水管
２      温度計
１０    火炉上部給水管
１１    温度計
【図１】
2008107017.tif 000003
【図２】
2008107017.tif 000004
【図３】
2008107017.tif 000005